(57)【特許請求の範囲】
【請求項１】
前身頃、股下部及び後身頃の各部から形成され、
フラッフパルプ及び高吸水性ポリマーを含む吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、
前記トップシートと前記バックシートとは、前記吸収体の配置部位より前端側の領域及び前記吸収体の配置部位より後端側の領域において前記吸収体と外部空間との間を連通させる層間隙間が形成されるように貼り合わされており、
前記吸収体は、吸収性物品の幅方向中央部に配置された幅狭吸収体と、前端部及び後端部の少なくとも一方が前記幅狭吸収体より幅が広く形成された幅広吸収体とが積層された２層構造を呈し、
前記幅広吸収体は、前記幅狭吸収体の両側縁からはみ出す耳部が形成されるように前記幅狭吸収体と積層され、前記幅狭吸収体が配置された領域が前記幅狭吸収体及び前記幅広吸収体からなる前記２層構造となっており、
前記耳部は、前記幅狭吸収体の両側縁より外側の領域において、前記幅狭吸収体が固定されているシート材に、前記幅広吸収体の前記耳部によって前記幅狭吸収体を両側縁側から押さえ込んだ状態で接合固定されている吸収性物品。
【請求項２】
前記幅狭吸収体と前記幅広吸収体との積層体が、液透過性材料からなる吸収体被包シートにより一体的に被包されており、
前記幅広吸収体の耳部が、前記幅狭吸収体の両側縁より外側の領域において前記幅狭吸収体が固定された前記吸収体被包シートに接合固定されている請求項１に記載の吸収性物品。
【請求項３】
前記耳部が吸収性物品の前身頃側と後身頃側の双方に各一対形成されており、
前記耳部を前記幅狭吸収体が固定されているシート材に接合固定する接合部が、前記幅広吸収体の前端部及び後端部の双方に各一対形成されている請求項１又は２に記載の吸収性物品。
【請求項４】
前記耳部が吸収性物品の前身頃側と後身頃側の双方に各一対形成されており、
前記耳部を前記幅狭吸収体が固定されているシート材に接合固定する接合部が、前記幅広吸収体の前端部及び後端部において間欠的に形成されている請求項１〜３のいずれか一項に記載の吸収性物品。
【請求項５】
前記幅狭吸収体がフラッフパルプ及び高吸水性ポリマーから構成されるとともに、前記幅広吸収体がフラッフパルプから構成されている請求項１〜４のいずれか一項に記載の吸収性物品。
【請求項６】
前記幅狭吸収体と前記幅広吸収体の層間に、高吸水性ポリマー層が介装されている請求項１〜５のいずれか一項に記載の吸収性物品。
【発明の詳細な説明】
【技術分野】
【０００１】
本発明は、吸収体、トップシート及びバックシートを備え、吸収体に高吸水性ポリマーを含有する吸収性物品に関するものである。
【背景技術】
【０００２】
一般に、使い捨ておむつ、尿パッド等の吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品においては、吸収体を構成する吸収性材料として、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等が用いられている。
【０００４】
しかし、粒状のＳＡＰを含有する吸収体を用いた場合、吸収体からＳＡＰが脱落し易く、脱落したＳＡＰがトップシートとバックシートとの層間隙間から吸収性物品外部に零れ落ちてしまうという問題が指摘されている（特許文献１参照）。ＳＡＰが吸収性物品外部に零れ落ちてしまうと、吸収性物品の吸収性能が低下し、尿を十分に吸収することができないため、尿漏れの原因となり、また、トップシート上に濡れた感触がいつまでも残り、着用感を悪化させるという問題がある。
【０００５】
ところで、使い捨ておむつにおいては、脚周りのフィット性を高め、脚周りからの漏れを防止する目的で、脚周り開口部に沿って脚周り伸縮材が付設されることがある。また、尿パッドにおいても同様の目的で両側縁部に脚周り伸縮材が付設されることがある。このような脚周り伸縮材を備える吸収性物品は、例えば、長尺体の状態で供給された吸収体、トップシート、バックシート、脚周り伸縮材等が積層固定されて積層体とされた後、製品長さに裁断される方法により連続的に製造される。この際、長尺の脚周り伸縮材は吸収性物品の股下部にのみ接着し、前身頃側及び後身頃側では接着しないようにし、また、長尺のトップシートとバックシートとは完全に接着せず、シート間に層間隙間を形成しておく。
【０００６】
こうすることにより、長尺の脚周り伸縮材は前記積層体が製品長さに裁断されると同時に切断され、トップシートとバックシートとの間の層間隙間から吸収性物品内部に引き込まれる。このように製造方法上の要請から、脚周り伸縮材の延長線上にはトップシートとバックシートの間に層間隙間が形成されている。この層間隙間からＳＡＰが吸収性物品外部へ零れ落ちるのである。
【０００７】
これに対し、特許文献１に記載の吸収性物品は、吸収体の前端部及び後端部に切り欠き部を形成し、その部分をシート部材で外覆することによって、ＳＡＰが吸収性物品外部へ零れ落ちることを防止しようとしている。
【先行技術文献】
【特許文献】
【０００８】
【特許文献１】特許第３６５７２５１号公報
【発明の概要】
【発明が解決しようとする課題】
【０００９】
しかしながら、特許文献１に記載の吸収性物品は、切り欠き部を形成することによって吸収体の面積が実質的に減少し、尿漏れが発生し易いという問題があった。
【００１０】
本発明は、このような従来技術の有する問題点に鑑みてなされたものであり、ＳＡＰが吸収性物品外部へ零れ落ちることを有効に防止可能であることに加え、吸収性能に優れ、尿漏れが発生し難く、トップシート上に濡れた感触がいつまでも残ることがなく、さらっとした着用感を与えることができる吸収性物品を提供するものである。
【課題を解決するための手段】
【００１１】
本発明者は、前記のような従来技術の課題を解決するために鋭意検討した結果、１）吸収体を幅狭吸収体と幅広吸収体の上下２層構造とし、２）幅狭吸収体の両側縁からはみ出す耳部が形成されるように幅広吸収体を積層し、３）幅広吸収体の耳部によって幅狭吸収体を両側縁側から押さえ込んだ状態で固定する構造とすることによって、上記課題が解決されることに想到し、本発明を完成させた。具体的には、本発明により、以下の吸収性物品が提供される。
【００１２】
［１］  前身頃、股下部及び後身頃の各部から形成され、フラッフパルプ及び高吸水性ポリマーを含む吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、前記トップシートと前記バックシートとは、前記吸収体の配置部位より前端側の領域及び前記吸収体の配置部位より後端側の領域において前記吸収体と外部空間との間を連通させる層間隙間が形成されるように貼り合わされており、前記吸収体は、吸収性物品の幅方向中央部に配置された幅狭吸収体と、前端部及び後端部の少なくとも一方が前記幅狭吸収体より幅が広く形成された幅広吸収体とが積層された２層構造を呈し、前記幅広吸収体は、前記幅狭吸収体の両側縁からはみ出す耳部が形成されるように前記幅狭吸収体と積層され、前記幅狭吸収体が配置された領域が前記幅狭吸収体及び前記幅広吸収体からなる前記２層構造となっており、前記耳部は、前記幅狭吸収体の両側縁より外側の領域において、前記幅狭吸収体が固定されているシート材に、前記幅広吸収体の前記耳部によって前記幅狭吸収体を両側縁側から押さえ込んだ状態で接合固定されている吸収性物品。
【００１３】
［２］  前記幅狭吸収体と前記幅広吸収体との積層体が、液透過性材料からなる吸収体被包シートにより一体的に被包されており、前記幅広吸収体の耳部が、前記幅狭吸収体の両側縁より外側の領域において前記幅狭吸収体が固定された前記吸収体被包シートに接合固定されている前記［１］に記載の吸収性物品。
【００１４】
［３］  前記耳部が吸収性物品の前身頃側と後身頃側の双方に各一対形成されており、前記耳部を前記幅狭吸収体が固定されているシート材に接合固定する接合部が、前記幅広吸収体の前端部及び後端部の双方に各一対形成されている前記［１］又は［２］に記載の吸収性物品。
【００１６】
［４］  前記耳部が吸収性物品の前身頃側と後身頃側の双方に各一対形成されており、前記耳部を前記幅狭吸収体が固定されているシート材に接合固定する接合部が、前記幅広吸収体の前端部及び後端部において間欠的に形成されている前記［１］〜［３］のいずれかに記載の吸収性物品。
【００１７】
［５］  前記幅狭吸収体がフラッフパルプ及び高吸水性ポリマーから構成されるとともに、前記幅広吸収体がフラッフパルプから構成されている前記［１］〜［４］のいずれかに記載の吸収性物品。
【００１８】
［６］  前記幅狭吸収体と前記幅広吸収体の層間に、高吸水性ポリマー層が介装されている前記［１］〜［５］のいずれかに記載の吸収性物品。
【発明の効果】
【００１９】
本発明の吸収性物品は、ＳＡＰが吸収性物品外部へ零れ落ちることを有効に防止可能であることに加え、吸収性能に優れ、尿漏れが発生し難く、トップシート上に濡れた感触がいつまでも残ることがなく、さらっとした着用感を与えることができる。
【図面の簡単な説明】
【００２０】
【図１Ａ】本発明の吸収性物品を展開し、トップシート側から見た状態を示す概略平面図である。
【図１Ｂ】図１Ａに示す吸収性物品のＡ−Ａ’端面を模式的に示す概略端面図である。
【図１Ｃ】図１Ａに示す吸収性物品のＢ−Ｂ’端面を模式的に示す概略端面図である。
【図１Ｄ】図１Ａに示す吸収性物品のＣ−Ｃ’端面を模式的に示す概略端面図である。
【図１Ｅ】図１Ａに示す吸収性物品の使用状態を示す概略斜視図である。
【図２Ａ】本発明の吸収性物品の別の実施形態を示す概略平面図であり、吸収性物品を展開し、トップシート側から見た状態を示す図である。
【図２Ｂ】図２Ａに示す吸収性物品のＡ−Ａ’端面を模式的に示す概略端面図である。
【図２Ｃ】図２Ａに示す吸収性物品のＢ−Ｂ’端面を模式的に示す概略端面図である。
【図３Ａ】本発明の吸収性物品の更に別の実施形態を示す概略平面図であり、吸収性物品を展開し、トップシート側から見た状態を示す図である。
【図３Ｂ】図３Ａに示す吸収性物品のＡ−Ａ’端面を模式的に示す概略端面図である。
【図３Ｃ】図３Ａに示す吸収性物品のＢ−Ｂ’端面の一部を模式的に示す概略端面図である。
【発明を実施するための形態】
【００２１】
以下、本発明の吸収性物品を実施するための最良の形態について、テープ型使い捨ておむつの例により具体的に説明する。但し、本発明はその発明特定事項を備える吸収性物品（例えば、尿パッド、パンツ型使い捨ておむつ等）を広く包含するものであり、以下の実施形態に限定されるものではない。
【００２２】
［１］定義等：
「テープ型使い捨ておむつ」とは、図１Ａ〜図１Ｃに示す吸収性物品１Ａのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味するものとする。
【００２３】
「前身頃」とは、図１Ａ及び図１Ｅに示すように、着用者に装着した際に、着用者の腹側（身体前方）を覆う部分（図中符号２）、「股下部」とは、着用者に装着した際に、着用者の股下を覆う部分（図中符号４）、「後身頃」とは、着用者に装着した際に、着用者の背側（身体後方）を覆う部分（図中符号６）を意味するものとする。
【００２４】
［２］本発明の実施形態：
本発明の吸収性物品は、図１Ｄに示す吸収性物品１Ａのように、トップシート１８とバックシート２０とは、吸収体２２の配置部位より前端側の領域及び吸収体２２の配置部位より後端側の領域において吸収体２２と外部空間との間を連通させる層間隙間６０が形成されるように貼り合わされている。
【００２５】
前記層間隙間が脚周り伸縮材の配置部位に沿って形成されている場合には、吸収性物品を連続製造する際に、長尺体の状態で供給された吸収体、トップシート、バックシート、脚周り伸縮材等が積層固定された積層体を製品長さに裁断すると同時に長尺の脚周り伸縮材を切断し、トップシートとバックシートとの間の層間隙間から吸収性物品内部に引き込ませるようにすることが可能となる。即ち、吸収性物品の前端部や後端部には伸縮材を配置させず、吸収性物品が不必要に収縮して丸まってしまう不具合を防止することができる。なお、脚周り伸縮材の配置部位以外の部位に前記層間隙間が形成されている場合には吸収性物品の通気性を向上させることが可能となる。
【００２６】
また、本発明の吸収性物品は、図１Ａ〜図１Ｄに示す吸収性物品１Ａのように、吸収体２２は、吸収性物品の幅方向中央部に配置された幅狭吸収体５０と、前端部及び後端部の少なくとも一方が幅狭吸収体５０より幅が広く形成された幅広吸収体５２とが積層された２層構造を呈し、幅広吸収体５２は、幅狭吸収体５０の両側縁からはみ出す耳部が形成されるように幅狭吸収体５０と積層されており、耳部は、幅狭吸収体５０の両側縁より外側の領域において、幅狭吸収体５０が固定されているシート材（この例では吸収体被包シート５４）に接合固定されている。
【００２７】
吸収体が吸収体被包シートにより被包されていない場合、又は図１Ｂに示すように吸収体２２が吸収体被包シート５４により被包されていても股下部のＲカットにより吸収体２２の両側面が露出する場合には、吸収体２２の側縁側からＳＡＰが脱落し易くなる。このような場合に、幅狭吸収体の両側縁部（特に両側面）を幅広吸収体の耳部で押さえ込むことで、幅広吸収体及び幅狭吸収体のよれが抑制されて吸収体２２からＳＡＰが脱落し難くなるとともに、幅狭吸収体の両側面がブロックされて幅狭吸収体の側縁からのＳＡＰの漏れが有効に防止される。更には、吸収体のよれが抑制されることによって、着用感が向上する。
【００２８】
［２−１］層間隙間：
本発明の吸収性物品においては、図１Ｄに示すように、トップシート１８とバックシート２０とが、吸収体の配置部位より吸収性物品前端側の領域及び吸収体の配置部位より吸収性物品後端側の領域において吸収体と外部空間との間を連通させる層間隙間６０が形成されるように貼り合わされている。
【００２９】
層間隙間は、センターシートとバックシートとの間のみならず、サイドシートとバックシートとの間に形成されたものであってもよい。例えば、図１Ａ〜図１Ｄに示すように、撥水性材料からなり、センターシート１８ａの両側縁に継ぎ合わされた一対のサイドシート１８ｂと、サイドシート１８ｂとバックシート２０の層間に配置された少なくとも一対の脚周り伸縮材４０と、を更に備えた構造においては、サイドシート１８ｂとバックシート２０とは、吸収体２２の配置部位より前端側の領域及び吸収体２２の配置部位より後端側の領域において吸収体２２と吸収性物品外部空間との間を連通させる層間隙間６０が形成されるように貼り合わされており、脚周り伸縮材４０は、その長手方向中央部のみがサイドシート１８ｂとバックシート２０との貼り合わせ部分に挟み込まれて固定され、その長手方向両端部は非固定の状態となっていることが好ましい。
【００３０】
［２−２］吸収体の構成：
本発明の吸収性物品は、図１Ａ〜図１Ｃに示す吸収性物品１Ａのように、吸収体２２は幅狭吸収体５０と幅広吸収体５２とが積層された２層構造を呈している。即ち、吸収体２２が上下２層構造となっている。吸収体を２層構造とすることで、要求特性に応じて、材質や形状の異なる２種類の吸収体を配置することが可能となる。
【００３１】
本発明においては吸収体を上下２層構造とするため、幅狭吸収体と幅広吸収体を積層した際に、通常の吸収体と同等の厚さ（２〜１０ｍｍ程度）となるような厚さとすることが好ましい。従って、各吸収体の厚さは１ｍｍ以上とすることが好ましく、厚くても８ｍｍ以下とすることが好ましい。幅狭吸収体と幅広吸収体は厚さが異なっていてもよいが、通常は同一厚さに形成される。なお、幅狭吸収体と幅広吸収体は互いにずれないように固定される。接着剤等により接合してもよい。
【００３２】
幅狭吸収体は、吸収性物品の幅方向中央部に配置される。幅広吸収体は、前端部及び後端部の少なくとも一方が幅狭吸収体より幅が広く形成された吸収体である。図１Ａ〜図１Ｄに示す吸収性物品１Ａでは幅狭吸収体５０を下層に配置し、幅広吸収体５２を上層に配置しているが、幅狭吸収体を上層に配置し、幅広吸収体を下層に配置したものも本発明の範囲に含まれる。また、図１Ａ及び図１Ｄに示す例では幅広吸収体の前端部及び後端部の双方を幅狭吸収体より幅広く形成しているが、幅広吸収体の前端部及び後端部のいずれか一方を幅狭吸収体より幅広く形成したものも本発明の範囲に含まれる。
【００３３】
一般に、吸収性物品の吸収体を構成する吸収性材料としては、例えば、フラッフパルプ、高吸水性ポリマー（ＳＡＰ）、親水性シート等が用いられる。但し、本発明の吸収性物品においては、フラッフパルプ及び高吸水性ポリマーを含む吸収体を用いる。
【００３４】
これはＳＡＰとフラッフパルプの吸収特性の相違を考慮したものである。即ち、ＳＡＰは単位質量当たりの吸収量は大きいものの初期吸収速度が遅いという特性があり、フラッフパルプは単位質量当たりの吸収量はＳＡＰほど大きくないものの初期吸収速度が速いという特性がある。従って、前記構造によれば、フラッフパルプにより尿を一旦吸収保持し、フラッフパルプに吸収保持された尿をＳＡＰに徐々に吸収させることが可能となる。
【００３５】
中でも、幅狭吸収体がフラッフパルプ及び高吸水性ポリマーから構成されるとともに、幅広吸収体がフラッフパルプから構成されているものが好ましい。即ち、幅狭吸収体をＳＡＰ含有吸収体とし、幅広吸収体をＳＡＰ非含有吸収体とすることが好ましい。吸収性物品の幅方向中央部にＳＡＰを含有する幅狭吸収体を配置することで、最も尿が排泄され易い吸収性物品の幅方向中央部における吸収性能を向上させることができる。また、ＳＡＰ非含有の幅広吸収体によってＳＡＰを含有する幅狭吸収体の両側縁を押さえ込むことで幅狭吸収体の両側縁からＳＡＰが脱落し、漏れることを有効に防止することができる。
【００３６】
前記フラッフパルプとしては、木材パルプや非木材パルプを綿状に解繊したもの等を用いることができる。前記ＳＡＰとしては、ポリアクリル酸ナトリウム等を用いることができる。
【００３７】
幅広吸収体及び幅狭吸収体はフラッフパルプをマット状に成形したパルプマットを用いることが好ましい。この際、パルプマットは単層で用いてもよいし、複数層積層したものを用いてもよい。吸収体にＳＡＰを含有させる形態としては、前記パルプマット中にＳＡＰ粒子を分散させてもよいし、前記パルプマットを２層以上積層した層間に板状に成形したＳＡＰ層を介装するように配置してもよい。幅狭吸収体は、フラッフパルプ１００質量部に対して、１０〜２００質量部のＳＡＰを併用したものが好ましく、４０〜８０質量部のＳＡＰを併用したものが更に好ましい。幅広吸収体は、フラッフパルプ１００質量部に対して、０〜１００質量部のＳＡＰを併用したものが好ましく、０〜４０質量部のＳＡＰを併用したものが更に好ましく、ＳＡＰを含まないもの（フラッフパルプのみから構成されるもの）が特に好ましい。
【００３８】
本発明の吸収性物品は、図１Ａ〜図１Ｃに示すように、幅広吸収体５２は、幅狭吸収体５０の両側縁からはみ出す耳部が形成されるように幅狭吸収体５０と積層されている。このような構造では、尿の排泄量が多く吸収力が必要とされる吸収体２２の幅方向中央部が２層構造となっており、十分な吸収力を確保できるとともに、尿の排泄量が少ない耳部についても幅広吸収体５２が配置されているため十分に漏れを防止することができる。特に、幅狭吸収体５０をフラッフパルプとＳＡＰで構成し、幅広吸収体５２をフラッフパルプのみで構成した場合には、尿の排泄量が多く吸収力が必要とされる吸収体２２の幅方向中央部にＳＡＰが集中的に配置されるため、使用したＳＡＰを効率的に利用することができる。
【００３９】
前記構造においては、図１Ｂ及び図１Ｃに示すように、幅狭吸収体５０と幅広吸収体５２の層間に、高吸水性ポリマー層（ＳＡＰ層５８）が介装されていることが好ましい。このような構造により、尿の排泄量が多く吸収力が必要とされる吸収体２２の幅方向中央部にＳＡＰが集中的に配置されるため、使用したＳＡＰを効率的に利用することができる。特に、幅狭吸収体５０をフラッフパルプとＳＡＰで構成し、幅広吸収体５２をフラッフパルプのみで構成した場合には、このＳＡＰ層５８は幅狭吸収体５０に含まれるＳＡＰと相俟って吸収性物品の幅方向中央部における吸収性能を向上させることに資する。
【００４０】
ＳＡＰ層５８は、幅狭吸収体５０と幅広吸収体５２の層間にＳＡＰ粒子を分散させて形成してもよいし、幅狭吸収体５０と幅広吸収体５２の層間に板状に成形したＳＡＰを介装するように挟み込むことで形成してもよい。このＳＡＰ層に含まれるＳＡＰの量としては５０〜２００ｇ／ｍ２とすることが好ましい。
【００４１】
前記構造においては、幅広吸収体の前端部及び後端部の少なくとも一方が幅狭吸収体より幅広に形成されていればよい。換言すれば、幅広吸収体の前端部及び後端部の少なくとも一方が幅狭吸収体より幅広に形成されている限り、図１Ａ〜図１Ｃに示す吸収性物品１Ａのように、幅広吸収体５２の前端部及び後端部以外の部分（中央部）が幅狭吸収体５０より幅広に形成されていてもよい。図示の例では、幅広吸収体５２は砂時計型に形成されており、前端部（幅広吸収体５２のうち前身頃２に配置される部分）及び後端部（幅広吸収体５２のうち後身頃６に配置される部分）に加えて、中央部（幅広吸収体５２のうち股下部４に配置される部分）も幅狭吸収体５０より幅広に形成されている。
【００４２】
本明細書において「幅広吸収体の耳部」とは、図１Ａ〜図１Ｃに示すように、幅広吸収体５２のうち幅狭吸収体５０の両側縁からはみ出した部分を意味し、幅狭吸収体５０の側縁と平行にはみ出した部分も含む。例えば、図１Ａ〜図１Ｃに示す吸収性物品１Ａにおいては、幅広吸収体５２の前端部及び後端部のみならず、中央部にも幅狭吸収体５０の両側縁からはみ出した耳部が形成されていることになる。
【００４３】
幅狭吸収体の幅は１８０〜１８５ｍｍとすることが好ましい。幅狭吸収体の幅に対する幅広吸収体の幅は、幅広吸収体の前端部及び後端部においては１．０〜２．５倍とすることが好ましく、幅広吸収体の中央部においては、１〜１．４倍とすることが好ましい。幅広吸収体の耳部の長さ（幅狭吸収体側縁から幅広吸収体側縁までの長さ）は、幅広吸収体の前端部及び後端部においては１８０〜４５０ｍｍとすることが好ましく、幅広吸収体の中央部においては１８０〜２５２ｍｍとすることが好ましい。
【００４４】
幅広吸収体、幅狭吸収体の平面形状については幅広吸収体が幅狭吸収体の両側縁からはみ出して耳部を形成し得る形状である限り特に限定されない。一般に、吸収体は、矩形状、砂時計型、ひょうたん型、Ｔ字型等の平面形状に形成されるため、これらの形状の中から上記条件に適合する形状を適宜選択すればよい。例えば、図１Ａ〜図１Ｃに示す吸収性物品１Ａは、幅広吸収体５２を砂時計型、幅狭吸収体５０を矩形状に形成した例である。
【００４５】
［２−３］接合部の形態：
本発明の吸収性物品は、図１Ａ〜図１Ｃに示すように、幅広吸収体５２の耳部は、幅狭吸収体５０の両側縁より外側の領域において、幅狭吸収体５０が固定されているシート材（この例では吸収体被包シート５４）に接合固定されている（接合部６２Ａ）。このような構造では、幅広吸収体によって幅狭吸収体を両側縁側から押さえ込むことができ、幅狭吸収体をよれ難くするとともに、幅狭吸収体両側面からのＳＡＰ漏れを抑制することができる。接合は、接着剤（ホットメルト接着剤等）を用いた接着等により行うことができる。
【００４６】
吸収体は、ＳＡＰの脱落を防止し、形状安定性を付与するという目的から、親水性シートからなる吸収体被包シートによって被包されていることが好ましい。従って、本発明の吸収性物品は、図１Ｃに示す吸収性物品１Ａのように、幅狭吸収体５０と幅広吸収体５２との積層体が、液透過性材料からなる吸収体被包シート５４，５６により一体的に被包されており、幅広吸収体５２の耳部が、幅狭吸収体５０の両側縁より外側の領域において幅狭吸収体５０が固定された吸収体被包シート５４に接合固定されている形態が好ましい。
【００４７】
より具体的には、図１Ａ及び図１Ｃに示すように、幅広吸収体５２の耳部を接合固定する接合部６２Ａが、幅広吸収体５２の前端部及び後端部の双方に各一対形成されている形態が好ましい。この接合形態は、図２Ａ〜図２Ｃに示す接合形態（接合部６２Ｂ）と比較して、接着剤の塗布量を減らすことができ、生産コストを低減可能である点において好ましい。図示の例では、砂時計型の幅広吸収体５２の左右に張り出した部分４箇所に接合部６２Ａを形成している。
【００４８】
また、図２Ａ〜図２Ｃに示すように、幅広吸収体５２の耳部を接合固定する接合部６２Ｂが、幅広吸収体５２の前端部から後端部にかけて連続的に形成されている形態も好ましい。この接合形態は、図１Ａ〜図１Ｃに示す接合形態（接合部６２Ａ）と比較して、幅狭吸収体５０の前端部から後端部に至るまで、幅広吸収体５２によって幅狭吸収体５０の両側縁が連続的に押さえ込まれるため、よれ防止効果やＳＡＰの漏れ抑制効果が高い点において好ましい。図示の例では、砂時計型の幅広吸収体５２の前端部から後端部にかけて等幅の接合部６２Ｂが連続的に形成されている。
【００４９】
更に、図３Ａ〜図３Ｃに示すように、耳部が吸収性物品の前身頃側と後身頃側の双方に各一対形成されており、耳部を幅狭吸収体５０が固定されているシート材（この例では吸収体被包シート５４）に接合固定する接合部が、幅広吸収体５２の前端部及び後端部において間欠的に形成されている形態も好ましい。
【００５０】
図３Ａ〜図３Ｃに示す接合形態は、図１Ａ〜図１Ｃに示す接合部６２Ａと比較して、接着剤の塗布量を減らすことができ、生産コストを低減可能であるという点において好ましい。図示の例では、砂時計型の幅広吸収体５２の左右に張り出した部分４箇所において、その各々に断続的に３個の矩形状の接合部６２Ｃを形成している。
【００５１】
本発明の吸収性物品は、幅広吸収体の耳部が幅狭吸収体が固定されているシート材に接合固定されている。幅狭吸収体の両側縁部を押さえ込む目的で、幅広吸収体の耳部を幅狭吸収体の固定面と連続する平面上に接合固定することとしたものである。例えば図１Ａ〜図１Ｃに示す吸収性物品１Ａは、吸収体２２全体が吸収体被包シート５４，５６によって被包されており、幅狭吸収体５０は吸収体被包シート５４に接合固定されている。従って、幅広吸収体５２も吸収体被包シート５４に接合固定されている。仮に、幅狭吸収体５０を上層、幅広吸収体５２を下層に配置し、幅狭吸収体５０を吸収体被包シート５６に接合固定した場合には、幅広吸収体５２も吸収体被包シート５６に接合固定すればよい。
【００５２】
また、吸収体が吸収体被包シートに被包されず、むき出しの状態でトップシートとバックシートの層間に介装されている場合には、幅狭吸収体はトップシート又はバックシートに接合固定されることになる。この場合には、幅広吸収体の耳部もトップシート又はバックシートに接合固定する。具体的には、幅狭吸収体を下層、幅広吸収体を上層に配置し、幅狭吸収体をバックシートに接合固定した場合には、幅広吸収体もバックシートに接合固定すればよい。逆に、幅狭吸収体を上層、幅広吸収体を下層に配置し、幅狭吸収体をトップシートに接合固定した場合には、幅広吸収体もトップシートに接合固定すればよい。
【００５３】
［３］吸収性物品の他の構成部材：
本発明の吸収性物品は、図１Ａ〜図１Ｃに示す吸収性物品１Ａのように、前身頃２、股下部４及び後身頃６の各部から形成され、既に説明した吸収体２２の他、少なくとも一部が液透過性材料からなり、吸収体２２の表面を被覆するように配置されたトップシート１８と、液不透過性材料からなり、吸収体２２の裏面を被覆するように配置されたバックシート２０と、を備えるものである。
【００５４】
［３−１］トップシート：
トップシートは、着用者の尿等を透過させる必要から、その少なくとも一部（全部又は一部）が液透過性材料により構成される。
【００５５】
本発明において「トップシート」というときは、吸収体の表面を被覆するように配置されたシート材、換言すれば、着用者の肌に接触するシート材全てを含むものとする。即ち、図１Ａに示す吸収性物品１Ａの例で説明すると、液透過性のセンターシート１８ａは勿論のこと、その側縁に継ぎ合わされるように配置された撥水性のサイドシート１８ｂも本発明にいう「トップシート（図中符号：１８）」に含まれる。
【００５６】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００５７】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００５８】
トップシートは、「少なくとも一部」、具体的には、トップシートを平面的に見た場合に、少なくとも吸収体の表面近傍は液透過性材料により構成されていることが好ましい。
【００５９】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【００６０】
例えば、図１Ａ〜図１Ｃに示す吸収性物品１Ａは、トップシート１８として２種類のシート材を利用した例であり、吸収性物品の幅方向中央部には液透過性材料からなるセンターシート１８ａを配置し、吸収性物品のサイドフラップ８部分には液の透過に対して抵抗性を示す通気撥水性材料からなるサイドシート１８ｂを配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００６１】
［３−２］バックシート：
バックシートは、吸収体の裏面（吸収性物品の装着時において着用者の肌から遠い側に位置する面）を被覆するように配置されるシートである。バックシートは、着用者の尿が吸収性物品外部に漏洩してしまうことを防止する必要から、液不透過性材料によって構成される。
【００６２】
バックシートの配置位置については特に制限はない。吸収体で吸収された尿の漏れを防止するという観点から、少なくとも吸収体の存在する部分にバックシートが配置されていることが好ましい。
【００６３】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、吸収性物品内部の蒸れを防止することができるという利点がある。
【００６４】
なお、図１Ｂに示すように、バックシート２０の外表面側にカバーシート２４を貼り合わせてもよい。このカバーシートは、バックシートを補強し、バックシートの手触り（触感）を良好なものとするために用いられる。
【００６５】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００６６】
［３−３］立体ギャザー：
本発明の吸収性物品は、撥水性シートからなり、吸収体の両側に配置された少なくとも一対の立体ギャザーを備えていることが好ましい。
【００６７】
立体ギャザーの構成は、従来の吸収性物品、その他の吸収性物品に使用される構成を採用することができる。例えば、図１Ｂに示す吸収性物品１Ａのように、撥水性のサイドシート１８ｂの層間に伸縮材（立体ギャザー伸縮材３６）を挟み込んで固定し、その立体ギャザー伸縮材３６の収縮力によってギャザー（襞）を形成したもの等を好適に用いることができる。これらの例では、撥水性のサイドシート１８ｂの折り返し部分に立体ギャザー伸縮材３６を挟み込んで固定した例である。
【００６８】
なお、立体ギャザーは、前記のように立体ギャザー用の撥水性シートを別途付設してもよいし、吸収性物品を構成するシート材の一部によって形成してもよい。例えば、図１Ｂに示す吸収性物品１Ａは、撥水性のサイドシート１８ｂの一部によって立体ギャザー２６ａ，２６ｂを形成した例である。撥水性シートは、カードエンボス、スパンボンド等の製法により製造された不織布であってもよいが、防水性の高いＳＭＳ、ＳＭＭＳ等の不織布シートが更に好ましい。
【００６９】
［３−４］止着テープ：
本発明の吸収性物品がテープ型使い捨ておむつである場合には、図１Ａに示すように、後身頃６の左右の各側縁６ａ，６ｂから延出するように配置された、前身頃２と後身頃６とを固定するための止着テープ１１を備える。
【００７０】
止着テープのファスニング部材としては、粘着剤により固定を行う粘着ファスナーであってもよいが、機械的な結合により固定を行うメカニカルファスナー（面状ファスナー）
を用いることが好ましい。
【００７１】
例えば、図１Ａに示す吸収性物品１Ａは、ファスニング部材として、メカニカルファスナーを用いた例である。止着テープ１１の先端近傍には、フック材４６が付設される一方、前身頃２には、ループ材１３からなるフロントパッチが付設されており、フロントパッチに対して、止着テープ１１のフック材４６を止め付けることが可能なように構成されている。
【００７２】
止着テープの数は特に限定されず、着用者の体型（具体的には、ウエスト周り、脚周り等）の寸法に合わせて、適当な数の止着テープを付設すればよい。一般的には、乳幼児用のテープ型使い捨ておむつであれば一対（左右１個ずつ）、成人用のテープ型使い捨ておむつであれば二対（左右２個ずつ）が付設される。
【００７３】
［３−５］各種伸縮材：
本発明の吸収性物品には、脚周り伸縮材を配置することが好ましい。
【００７４】
脚周り伸縮材は、使い捨ておむつの場合は脚周り開口部に沿って配置される伸縮材であり、尿パッドの場合は尿パッドの両側縁部に沿って配置される伸縮材である。この脚周り伸縮材を配置することによって、着用者の脚周りに沿って伸縮性に富むギャザー（レグギャザー）を形成することができる。
【００７５】
例えば、図１Ａに示す吸収性物品１Ａは、テープ型使い捨ておむつであり、おむつの長手方向に沿って、直線的に四本の脚周り伸縮材４０を配置してレグギャザーを形成した例である。この脚周り伸縮材４０は、糸ゴムや平ゴムによって構成される。
【００７６】
脚周り伸縮材は、例えば、図１Ａに示す吸収性物品１Ａのように、立体ギャザー２６の起立線より外側の部分に、脚周り伸縮材４０が形成されていることが好ましい。
【００７７】
本発明の吸収性物品が使い捨ておむつである場合は、脚周り伸縮材に加えて、ウエスト周り伸縮材を配置することが好ましい。
【００７８】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。
【００７９】
例えば、図１Ａ〜図１Ｃに示す吸収性物品１Ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８０】
また、パンツ型使い捨ておむつでは、腹周り伸縮材が付設される場合がある。腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。
【００８１】
これらの伸縮材については、ギャザーの収縮の程度等を勘案した上で、構成材料、その材料の伸長率、固定時の伸長状態等を決定すればよい。
【００８２】
伸縮材としては、従来の吸収性物品で使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８３】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。
【００８４】
前記のような伸縮材は、吸収性物品の他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００８５】
［３−６］適用対象：
なお、本発明の吸収性物品は、テープ型使い捨ておむつの他、尿パッドやパンツ型使い捨ておむつにも適用することができる。即ち、尿パッドやパンツ型使い捨ておむつにおいて、吸収体を、１）吸収体を幅狭吸収体と幅広吸収体の上下２層構造とし、２）幅狭吸収体の両側縁からはみ出す耳部が形成されるように幅広吸収体を積層し、３）幅広吸収体の耳部によって幅狭吸収体を両側縁側から押さえ込んだ状態で固定する構造とすることによって、先に説明したテープ型使い捨ておむつと同様の効果を得ることができる。
【００８６】
「尿パッド」とは、インナーパッド、補助パッドとも称され、主として尿吸収を目的とする吸収パッドである。この尿パッドは、使い捨ておむつのトップシートの表面に載置して使い捨ておむつと併用するか、或いは下着の内面に載置して尿パッド単独で用いる。尿パッドは、使い捨ておむつと同様に、吸収体と、吸収体の表面を被覆するように配置されたトップシートと、吸収体の裏面を被覆するように配置されたバックシートとを備えるが、着用者の腰周りの側方が拘束されない小型のパッド状に構成されることが一般的である。
【００８７】
「パンツ型使い捨ておむつ」とは、前身頃と後身頃の対応する側縁同士を接合することによって、一つのウエスト周り開口部及び一対の脚周り開口部１２が形成され、予めパンツ型に構成された使い捨ておむつを意味するものとする。
【００８８】
中でも、トップシートとバックシートとの層間に吸収体が内包され、パッド状に形成された吸収性本体と、一つのウエスト周り開口部及び一対の脚周り開口部が形成されたパンツ型を呈する外装シートとを備え、外装シートの内側に吸収性本体１４が配置・固定された形態を「２ピースタイプ」と称することがある。
【実施例】
【００８９】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【００９０】
〔１〕実施例１：
実施例１の吸収性物品として、テープ型使い捨ておむつを作製した。具体的な構造は、図１Ａ〜図１Ｅに示す吸収性物品１Ａの構造とした。この吸収性物品１Ａは、成人用Ｍサイズのものであり、前後方向長さを８４０ｍｍ、後身頃６の幅（側縁６ａ，６ｂ間の長さ）を５３０ｍｍ、股下部４の最小幅を３３０ｍｍとした。
【００９１】
吸収性物品１Ａは、吸収体として上下２層構造の吸収体２２を用いた。この吸収体２２は、矩形状の幅狭吸収体５０（幅１８０ｍｍ、長さ６９０ｍｍ、厚さ５ｍｍ）と、その表面に積層された、砂時計型の幅広吸収体５２（耳部を含めた最大幅３４０ｍｍ、股下部の最小幅２３０ｍｍ、長さ６９０ｍｍ、厚さ５ｍｍ）とからなるものであった。幅広吸収体５２はフラッフパルプのみからなるものとし、幅狭吸収体５０はフラッフパルプ１００質量部に対して、８５質量部のＳＡＰを併用した。幅広吸収体５２、幅狭吸収体５０はホットメルト接着剤により相互に固着させた。
【００９２】
幅広吸収体５２の耳部は、吸収体被包シート５４に対し接合固定した。接合固定はホットメルト接着剤により行い、後身頃６側の接合部６２Ａは幅７０ｍｍ、長さ１００ｍｍの矩形状、前身頃側の接合部６２Ａは幅７０ｍｍ、長さ５０ｍｍの矩形状に形成した。
【００９３】
〔２〕実施例２：
実施例２の吸収性物品として、テープ型使い捨ておむつを作製した。具体的な構造は、図２Ａ〜図２Ｃに示す吸収性物品１Ｂの構造とした。この吸収性物品１Ｂは、接合部６２Ｂの形状を除き、実施例１の吸収性物品と同様に形成した。
【００９４】
接合部６２Ｂは、後身頃６側から前身頃４側にかけて幅２０ｍｍの接合部６２Ｂを連続的に形成した。接合部６２Ｂの長さは６９０ｍｍとした。
【００９５】
〔３〕実施例３：
実施例３の吸収性物品として、テープ型使い捨ておむつを作製した。具体的な構造は、図３Ａ〜図３Ｃに示す吸収性物品１Ｃの構造とした。この吸収性物品１Ｃは、接合部６２Ｃの形状を除き、実施例１の吸収性物品と同様に形成した。
【００９６】
接合部６２Ｃは、実施例１の接合部６２Ａと同じ部分に幅１０ｍｍの接合部６２Ａを１０ｍｍ間隔で３本形成した。後身頃６側の接合部６２Ｃの長さ、前身頃２側の接合部６２Ｃの長さはいずれも１００ｍｍとした。
【産業上の利用可能性】
【００９７】
本発明の吸収性物品は、乳幼児用又は介護を必要とする高齢者や障害者等の成人用の使い捨ておむつ、尿パッド等の吸収性物品に利用することができる。
【符号の説明】
【００９８】
１Ａ，１Ｂ，１Ｃ：吸収性物品、２：前身頃、２ａ，２ｂ：側縁、４：股下部、６：後身頃、６ａ，６ｂ：側縁、８：サイドフラップ、１１：止着テープ、１３：ループ材、１８：トップシート、１８ａ：センターシート、１８ｂ：サイドシート、２０：バックシート、２２：吸収体、２４：カバーシート、２６，２６ａ，２６ｂ：立体ギャザー、３６：立体ギャザー伸縮材、４０：脚周り伸縮材、４２：ウエスト周り伸縮材、４６：フック材、４８：テープ基材、５０：幅狭吸収体、５２：幅広吸収体、５４，５６：吸収体被包シート、５８：ＳＡＰ層、６０：層間隙間、６２Ａ，６２Ｂ，６２Ｃ：接合部。
【図１Ａ】
0005515536.tif 000002
【図１Ｂ】
0005515536.tif 000003
【図１Ｃ】
0005515536.tif 000004
【図１Ｄ】
0005515536.tif 000005
【図１Ｅ】
0005515536.tif 000006
【図２Ａ】
0005515536.tif 000007
【図２Ｂ】
0005515536.tif 000008
【図２Ｃ】
0005515536.tif 000009
【図３Ａ】
0005515536.tif 000010
【図３Ｂ】
0005515536.tif 000011
【図３Ｃ】
0005515536.tif 000012